(57)【要約】【課題】室外機と室内機とを別々に設置するため冷媒配管の配設作業に手間がかかり、冷媒配管等が見えて外観を損ねたりせず、また、窓に設置して窓の使い勝手が悪くなるといったことがなく、室内スペースを最大限利用可能な空調装置を提供する。【解決手段】ケーシング１内に室内空気流路２と室外空気流路３とがそれぞれ形成される。室内空気流路２に蒸発器又は凝縮器の一方となる熱交換器４３が位置し且つ室外空気流路３に蒸発器又は凝縮器の他方となる熱交換器４４が位置するようにヒートポンプ４がケーシング１内に収納される。床下収納凹部５１に前記ケーシング１が収納される。床下収納凹部５１は、ケーシング１の室外空気流路３の吸入口３１及び吐出口３２に対応する位置に床下の室外と連通する連通口が形成される。ケーシング１の室外空気流路３の吸入口３１及び吐出口３２にそれぞれ室内に連通する吸入ダクト及び吐出ダクトを接続した。【選択図】        図１
2009236384.tif 000002
【特許請求の範囲】
【請求項１】
装置本体となるケーシング内に室内空気流路と室外空気流路とをそれぞれ形成し、室内空気流路に蒸発器又は凝縮器の一方となる熱交換器が位置し且つ室外空気流路に蒸発器又は凝縮器の他方となる熱交換器が位置するようにヒートポンプをケーシング内に収納し、床面の一部に下方に凹む床下収納凹部を形成して該床下収納凹部に前記ケーシングを収納し、床下収納凹部には、該床下収納凹部に収納されるケーシングの室外空気流路の吸入口及び吐出口に対応する位置に床下の室外と連通する連通口を形成し、ケーシングの室外空気流路の吸入口及び吐出口にそれぞれ室内に連通する吸入ダクト及び吐出ダクトを接続して成ることを特徴とする空調装置。
【請求項２】
床下収納凹部の上端部に、上面が床面と面一となる蓋を設けて成ることを特徴とする請求項１記載の空調装置。
【請求項３】
床下収納凹部の底面にケーシングを載置し、ケーシングの上側に床下収納凹部の新たな底面となる底板を設置して成ることを特徴とする請求項２記載の空調装置。
【発明の詳細な説明】
【技術分野】
【０００１】
本発明は、ヒートポンプを利用した空調装置に関するものである。
【背景技術】
【０００２】
従来より、室内の空調にヒートポンプを利用した空調装置が用いられているが（例えば特許文献１参照）、この従来の空調装置においては、図５に示すように、それぞれ熱交換器９４、９３を備えた室外機９１と室内機９２とを別々に設置して、室外機９１と室内機９２との間に冷媒配管９０を配設するものであった。
【０００３】
上記従来の空調装置は、室外機９１と室内機９２とを別々に設置していて、ヒートポンプ２の両熱交換器９４、９３の間に冷媒配管９０を配設する必要があり、現場での配管作業が手間になるものであり、更に、冷媒配管９０や該冷媒配管９０を収容するダクトが露出して見えて、建物の外観を損ねるものであった。
【特許文献１】特開平５−３１２４３１号公報
【発明の開示】
【発明が解決しようとする課題】
【０００４】
本発明は上記従来の問題点に鑑みて発明したものであって、その目的とするところは、冷媒配管等が見えて外観を損ねたりしない室内スペースを最大限利用可能な空調装置を提供することを課題とするものである。
【課題を解決するための手段】
【０００５】
上記課題を解決するために請求項１に係る発明は、装置本体となるケーシング１内に室内空気流路２と室外空気流路３とがそれぞれ形成される。室内空気流路２に蒸発器又は凝縮器の一方となる熱交換器４３が位置し且つ室外空気流路３に蒸発器又は凝縮器の他方となる熱交換器４４が位置するようにヒートポンプ４がケーシング１内に収納される。床面５の一部に下方に凹む床下収納凹部５１を形成して該床下収納凹部５１に前記ケーシング１が収納される。床下収納凹部５１には、該床下収納凹部５１に収納されるケーシング１の室外空気流路３の吸入口３１及び吐出口３２に対応する位置に、床下の室外と連通する連通口が形成される。ケーシング１の室外空気流路３の吸入口３１及び吐出口３２にそれぞれ室内に連通する吸入ダクト及び吐出ダクトが接続される。
【０００６】
このような構成とすることで、床下収納凹部５１に装置本体となるケーシング１を収納するため、冷媒配管が露出せずに済むと共に、デッドスペースとなる床下を有効利用して、ケーシング１が室内を占有せずに済むものである。
【０００７】
また、床下収納凹部５１の上端部に、上面が床面５と面一となる蓋５２を設けて成ることを特徴とするものである。これにより、蓋５２の上面が床面５と同様に使用可能となる。
【０００８】
また、床下収納凹部５１の底面にケーシング１を載置し、ケーシング１の上側に床下収納凹部５１の新たな底面となる底板５０を設置して成ることを特徴とするものである。これにより、底板５０が新たな底面となってその底板５０上に収納物８が載置可能となる。
【発明の効果】
【０００９】
本発明にあっては、冷媒配管が露出せずに済むため、外観を損ねずに済むものである。
【発明を実施するための最良の形態】
【００１０】
以下、本発明の一実施形態について図１乃至図４に基づいて説明する。
【００１１】
本発明の空調装置は、装置本体となる一つのケーシング１内に、ヒートポンプ４を収容して主体（ヒートポンプユニット）が構成されるものである。
【００１２】
ケーシング１には、室内空気の吸入口２１と吐出口２２とを形成すると共に、該室内空気の吸入口２１と吐出口２２とを結ぶ室内空気流路２を形成する。また、ケーシング１に室外空気の吸入口３１と吐出口３２とを形成すると共に、該室外空気の吸入口３１と吐出口３２とを結ぶ前記室内空気流路２とは別の室外空気流路３を形成する
ヒートポンプ４は、図２に示すように、冷媒流路４０と、冷媒流路４０の途中に配設される、圧縮機４１と、膨張弁４２と、運転時に蒸発器と凝縮器となる一対の熱交換器４３、と、で構成される。このヒートポンプ４は、一方の熱交換器４３を室内空気流路２に設け、他方の熱交換器４４を室外空気流路３に設け、圧縮機４１と膨張弁４２はその他の部分に設けてある。
【００１３】
上記ヒートポンプユニットのケーシング１は、床下収納凹部５１に収納するものである。床下収納凹部５１は、床面５の一部に下方に凹む凹所であり、床下収納凹部５１の上端部には上面が床面５と面一となる蓋５２を設けてあり、蓋５２の上面を床面５と同様に使用することが可能となる。本実施形態では、床下収納凹部５１の底面にケーシング１を載置し、ケーシング１の上側に床下収納凹部５１の新たな底面となる底板５０を設置し、図３に示すように底板５０上に収納物８を載置可能な二重底構造としてあり、底板５０が新たな底面となってその上に収納物８が載置可能となる。
【００１４】
床下収納凹部５１には、収納されたケーシング１の室外空気流路３の吸入口３１及び吐出口３２に対応する位置に、床下の室外と連通する連通口５３、５４を形成するもので、本実施形態ではそれぞれ床下収納凹部５１の底部に形成し、この連通口５３、５４に連通するようにケーシング１の室外空気流路３の吸入口３１及び吐出口３２を位置させる。
【００１５】
また床下収納凹部５１には、収納されたケーシング１の室内空気流路２の吸入口２１及び吐出口２２に接続される吸入ダクト２４及び吐出ダクト２５が挿通する挿通口５５、５６が形成してある。吸入ダクト２４及び吐出ダクト２５は、一端がそれぞれ前記室内空気流路２の吸入口２１及び吐出口２２に接続されると共に、他端が室内に連通するもので、本実施形態では吸入ダクト２４及び吐出ダクト２５の他端は部屋の壁６に形成した室内空気吸い込み口６１及び室内空気吹き出し口６２にそれぞれ接続される。また、室内空気流路２に配置するフィルタ２６を着脱自在に設けるもので、本実施形態ではケーシング１の上側にフィルタ挿抜口１１が形成してあり、フィルタ２６の交換が容易となる。
【００１６】
上述した空調装置は、冷房運転時は、室内空気流路２に設けた熱交換器４３を蒸発器とすると共に、室外空気流路３に設けた熱交換器４４を凝縮器として機能するように冷媒を流す。そして、各空気流路２、３に設けたファン２３、３３を駆動して、室内空気を室内空気流路２に流して空気の冷却を行い、床下の室外空気を室外空気流路３に流して廃熱を行う。
【００１７】
また暖房運転時は、室内空気流路２に設けた熱交換器４３を凝縮器とすると共に、室外空気流路３に設けた熱交換器４４を蒸発器として機能するように冷媒を流し、ファン２３、３３を駆動して、室内空気を室内空気流路２に流して空気の加熱を行い、床下の室外空気を室外空気流路３に流して冷気を排出する。
【００１８】
なお、上記のものは空調装置を冷暖房両用として説明したが、冷房専用又は暖房専用としても勿論よいものである。
【００１９】
上述したように、ヒートポンプ４を収容したケーシング１を床下収納凹部５１に収納するため、従来例のように室外機と室内機とを別々に設置することで、冷媒配管の配設作業が手間となってしまうと共に、冷媒配管やダクトが見えて建物の外観を損ねてしまうといったことを防止することができる。
【００２０】
また、ケーシング１を床下に収納するため、いわゆるウィンドファンのように窓に設置して窓の有効面積が小さくなり、窓の使い勝手が悪くなる、といったことを防止することができる。また、また、床下収納凹部５１にケーシング１を収納するため、デッドスペースとなる床下を有効利用して、ケーシング１が室内を占有せずに済むものであり、また、新たな点検口を設けたりする必要がなく、図４に示すように蓋５２及び底板５０を取り外すだけで点検ができ、また、インテリア性を損ねないものである。
【図面の簡単な説明】
【００２１】
【図１】本発明の一実施形態の側断面図である。
【図２】ケーシングに収納したヒートポンプを説明する側断面図である。
【図３】同上の床下収納凹部の底板に収納物を載置した側断面図である。
【図４】同上の床下収納凹部の蓋板及び底板を取り外し更にフィルタを抜き出した状態の側断面図である。
【図５】従来例の断面図である。
【符号の説明】
【００２２】
１    ケーシング
１１  フィルタ挿抜口
２    室内空気流路
２１  吸入口
２２  吐出口
２３  ファン
２４  吸入ダクト
２５  吐出ダクト
２６  フィルタ
３    室外空気流路
３１  吸入口
３２  吐出口
４    ヒートポンプ
４０  冷媒流路
４１  圧縮機
４２  膨張弁
４３  熱交換器
４４  熱交換器
５    床面
５０  底板
５１  床下収納凹部
５２  蓋
６    壁
８    収納物
【図１】
2009236384.tif 000003
【図２】
2009236384.tif 000004
【図３】
2009236384.tif 000005
【図４】
2009236384.tif 000006
【図５】
2009236384.tif 000007